(57)【特許請求の範囲】
【請求項１】
内容物を収納する容器本体と、この容器本体をリング状のシール部材を介して気密に保持する蓋体とを備えた気密コンパクトであって、
前記容器本体または前記蓋体に、前記容器本体および前記蓋体を合致させた閉状態にて前記シール材のシール面を押圧して当該シール面をその周方向において局所的に変形させる少なくとも１つの凸部を設けたことを特徴とする気密コンパクト。
【請求項２】
前記容器本体および前記蓋体はレフィール容器を構成するものである請求項１に記載の気密コンパクト。
【発明の詳細な説明】
【０００１】
【発明の属する技術分野】
本発明は、内容物を収納する容器本体と、この容器本体をシール部材を介して気密に保持する蓋体とを備えた気密コンパクトに関するものである。
【０００２】
【従来の技術】
コンパクトは、一般的に、アイシャドー、アイライナー、ファンデーションなどの化粧料やパフなどを内容物として収納するものであることから、化粧料の揮発や湿気の混入などを防止する必要がある。このため、従来から、内容物を収納する容器本体および蓋体間にシール部材を介在させ、容器本体および蓋体間に画成された空間を気密に保持する気密コンパクトが提案されていた。
【０００３】
しかしながら、従来の気密コンパクトにあっては、シール部材によって気密性を向上させればさせる程、蓋体開放時、容器本体および蓋体間に画成された空間内が減圧状態となってしまうため、コンパクト使用時に、蓋体を容器本体から開けづらくなってしまうという不都合があった。
【０００４】
【発明が解決しようとする課題】
本発明は、容器本体および蓋体を合致させた閉状態での気密性を保持しつつ、蓋体の開放が容易な気密コンパクトを提供するところにある。
【０００５】
【課題を解決するための手段】
第１発明に係る気密コンパクトは、内容物を収納する容器本体と、この容器本体をリング状のシール部材を介して気密に保持する蓋体とを備えた気密コンパクトであって、容器本体または蓋体に、容器本体および蓋体を合致させた閉状態にてシール材のシール面を押圧して当該シール面をその周方向において局所的に変形させる少なくとも１つの凸部を設けたことを特徴とするものである。
【０００６】
また第２発明に係る気密コンパクトは、上記第１発明において、容器本体および蓋体がレフィール容器を構成するものであることが好ましい。
【０００７】
【発明の実施の形態】
以下、図面を参照して本発明をより具体的に説明する。
図１〜３は、本発明に従う気密コンパクトの第１実施形態であって、図１はその閉状態を示す断面図、図２はその開状態を示す上面図、また図３は図１の領域Ａを示す要部断面図である。
【０００８】
気密コンパクト１０は、レフィール容器２０とパフ３０とを収納するコンパクトケース１１と、このコンパクトケース１１にヒンジ部１０ｈ（図２参照）を介して回動自在に結合するケースカバー１２からなり、このケースカバー１２の天面には、鏡１３が取り付けられている。
【０００９】
コンパクトケース１１は、図１に示す如く、レフィール容器２０の収納位置とパフ３０の収納位置とを区画するための中枠１４を有し、レフィール容器２０の収納位置には、レフィール容器２０を支持する開口１１ｈが形成されている一方、パフ３０の収納位置には、湿気を防ぐために複数の通気孔ｈ1が形成されている。
【００１０】
レフィール容器２０は、アイシャドー、アイライナー、ファンデーションなどの化粧料を収納する容器本体である中皿２１と、この中皿２１とヒンジ部２０ｈを介して回動自在に結合する蓋体２２とを備える。この蓋体２２は、開放のための把手部２２ａを有し、その内面には、ブチルゴムやエラストマ等の弾性材料からなるリング状のパッキンＳ1がパッキン押え２３によって取り付けられており、このパッキン押え２３には、結露を防ぐために複数の孔ｈ2が形成されている。
【００１１】
中皿２１は、図３に示す如く、第１フック部２１ｆ1を有し、この第１フック部２１ｆ1が、中枠１４に設けたフック部分１４ｆに係合してレフィール容器２０をコンパクトケース１１内に固定する。このため、レフィール容器２０は、中枠１４に設けたスライド部分１４ｓ（図１参照）を矢印ｄ1の方向にスライドさせ、中皿２１と中枠１４とのフック係合を解除することによりコンパクトケース１１から取り外すことができる。
【００１２】
また中皿２１は、図３に示す如く、第２フック部２１ｆ2を有し、この第２フック部２１ｆ2は、蓋体２２に設けたフック部分２２ｆに係合して蓋体２２を閉状態にロックし、中皿２１および蓋体２２間に収納空間Ｒ1を画成する。このため、蓋体２２は、その把手部２２ａの引き上げによりフック部分２２ｆを矢印ｄ2の方向にベンドさせ、中皿２１と蓋体２２とのフック係合を解除することにより蓋体２２を中皿２１から開けることができる。
【００１３】
ところで、こうしたレフィール容器にあっては、シール部材であるパッキンＳ1によって気密性を向上させればさせる程、蓋体開放時、中皿２１および蓋体２２間に画成された収納空間Ｒ1内が減圧状態となってしまうため、コンパクト使用時に、蓋体２３を中皿２１から開けづらくなってしまう。
【００１４】
そこでレフィール容器２０では、中皿２１の外側端縁に、図３に示す如く、中皿２１および蓋体２２を合致させた閉状態にてパッキンＳ1のシール面ｆを押圧して当該シール面ｆをその周方向において局所的（シール面ｆ1）に変形させる凸部２１ｐを設けている。この場合、凸部２１ｐがパッキンＳ1のシール面ｆを押圧して当該シール面ｆをその周方向において局所的（シール面ｆ1）に変形させるため、蓋体２２の開放動作を行ったときに、中皿２１および蓋体２２間に画成された収納空間Ｒ1内に空気が入りやすくなる。
【００１５】
従って本実施形態によれば、中皿２１および蓋体２２を合致させた閉状態での気密性を保持しつつ、蓋体２２の開放動作を行ったときに収納空間Ｒ1内の減圧状態が解消されるため、中皿２１から蓋体２２を容易に開放することができる。
【００１６】
同様に図４は、本発明の第２実施形態を図１の気密コンパクト１０に採用した際の、図１の領域Ａを示す要部断面図である。なお、第１実施形態と同一部分は、同一符号をもってその説明を省略する。
【００１７】
本実施形態のレフィール容器４０は、第１実施形態と同様、内容物を収納する中皿４１と、この中皿４１と回動自在に結合する蓋体４２とを備える。蓋体４２の内面には、第１実施形態と同質のリング状パッキンＳ2がパッキン押え４３によって取り付けられている。
【００１８】
中皿４１は第１フック部４１ｆ1を有し、この第１フック部４１ｆ1が、中枠１４に設けたフック部分１４ｆに係合してレフィール容器４０をコンパクトケース１１内に固定する。このため、レフィール容器４０は、中枠１４に設けたスライド部分１４ｓ（図１参照）を矢印ｄ1の方向にスライドさせ、中皿４１と中枠１４とのフック係合を解除することによりコンパクトケース１１から取り外すことができる。
【００１９】
また中皿４１は第２フック部４１ｆ2を有し、この第２フック部４１ｆ2は、蓋体４２に設けたフック部分４２ｆに係合して蓋体４２を閉状態にロックし、中皿４１および蓋体４２間に収納空間Ｒ2を画成する。このため、蓋体４２は、その把手部４２ａの引き上げによりフック部分４２ｆを矢印ｄ2の方向にベンドさせ、中皿４１と蓋体４２とのフック係合を解除することにより蓋体４２を中皿４１から開けることができる。
【００２０】
このレフィール容器４０では、中皿４１の内側端縁に、中皿４１および蓋体４２を合致させた閉状態にてパッキンＳ2のシール面ｆを押圧して当該シール面ｆをその周方向において局所的（シール面ｆ2）に変形させる凸部４１ｐを設けている。この場合も、凸部４１ｐがパッキンＳ2のシール面ｆを局所的（シール面ｆ2）に変形させるため、蓋体４２の開放動作を行ったときに、中皿４１および蓋体４２間に画成された収納空間Ｒ2内に空気が入りやすくなる。
【００２１】
従って本実施形態によっても、中皿４１および蓋体４２を合致させた閉状態での気密性を保持しつつ、蓋体４２の開放動作を行ったときに収納空間Ｒ2内の減圧状態が解消されるため、中皿４１から蓋体４２を容易に開放することができる。
【００２２】
さらに図５は、本発明の第３実施形態を図１の気密コンパクト１０に採用した際の、図１の領域Ａを示す要部断面図である。なお、第１実施形態と同一部分は、同一符号をもってその説明を省略する。
【００２３】
本実施形態のレフィール容器５０は、第１および第２実施形態と同様、内容物を収納する中皿５１と、この中皿５１と回動自在に結合する蓋体５２とを備える。蓋体５２の内面には、第１実施形態と同質のリング状パッキンＳ3がパッキン押え５３によって取り付けられている。
【００２４】
中皿５１は第１フック部５１ｆ1を有し、この第１フック部５１ｆ1が、中枠１４に設けたフック部分１４ｆに係合してレフィール容器５０をコンパクトケース１１内に固定する。このため、レフィール容器５０は、中枠１４に設けたスライド部分１４ｓ（図１参照）を矢印ｄ1の方向にスライドさせ、中皿５１と中枠１４とのフック係合を解除することによりコンパクトケース１１から取り外すことができる。
【００２５】
また中皿５１は第２フック部５１ｆ2を有し、この第２フック部５１ｆ2は、蓋体５２に設けたフック部分５２ｆに係合して蓋体５２を閉状態にロックし、中皿５１および蓋体５２間に収納空間Ｒ3を画成する。このため、蓋体５２は、その把手部５２ａの引き上げによりフック部分５２ｆを矢印ｄ2の方向にベンドさせ、中皿５１と蓋体５２とのフック係合を解除することにより蓋体５２を中皿５１から開けることができる。
【００２６】
このレフィール容器５０では、中皿４１の上側端縁に、中皿５１および蓋体５２を合致させた閉状態にてパッキンＳ3のシール面ｆを押圧して当該シール面ｆをその周方向において局所的（シール面ｆ3）に変形させる凸部５１ｐを設けている。この場合も、凸部５１ｐがパッキンＳ3のシール面ｆを局所的（シール面ｆ3）に変形させるため、蓋体５２の開放動作を行ったときに、中皿５１および蓋体５２間に画成された収納空間Ｒ3内に空気が入りやすくなる。
【００２７】
従って本実施形態によっても、中皿５１および蓋体５２を合致させた閉状態での気密性を保持しつつ、蓋体５２の開放動作を行ったときに収納空間Ｒ3内の減圧状態が解消されるため、中皿５１から蓋体５２を容易に開放することができる。
【００２８】
上述したところは、本発明の好適な実施形態を示したに過ぎず、当業者によれば、請求の範囲において、種々の変更を加えることができ、例えば、中皿に設けた凸部は、本実施形態の如くの角型凸部ではなく、角部に丸みを持たせた凸部であってもよい。この場合、パッキンＳへの押圧が緩慢になるため、パッキンＳの耐久性を向上させることができる。またパッキンＳを押圧する凸部は１箇所に限らず、複数箇所に設けても良く、その配置も、本実施形態とは逆に、パッキンＳを中皿に設ける一方、パッキンＳを押圧する凸部を蓋体に設けてもよい。さらに本発明の気密コンパクトは、上記レフィール容器の如く、容器本体および蓋体からなる単体のものであってもよい。
【００２９】
【発明の効果】
従って本発明に係る気密コンパクトは、容器本体または蓋体に、容器本体および蓋体を合致させた閉状態にてシール材のシール面を押圧して当該シール面をその周方向において局所的に変形させる少なくとも１つの凸部を設けたから、蓋体の開放動作を行ったときに、容器本体および蓋体間に画成された収納空間内に空気が入りやすくなる。従って第１発明によれば、容器本体および蓋体を合致させた閉状態での気密性を保持しつつ、蓋体の開放動作を行ったときに収納空間内の減圧状態が解消されるため、容器本体から蓋体を容易に開放することができる。
【図面の簡単な説明】
【図１】本発明に従う気密コンパクトの第１実施形態であって、その閉状態を示す断面図である。
【図２】第１実施形態の開状態を示す上面図である。
【図３】図１の領域Ａを示す要部断面図である。
【図４】本発明の第２実施形態を図１の気密コンパクトに採用した際の、図１の領域Ａを示す要部断面図である。
【図５】本発明の第３実施形態を図１の気密コンパクト１０に採用した際の、図１の領域Ａを示す要部断面図である。
【符号の説明】
１０ 気密コンパクト
１１ コンパクトケース
１２ ケースカバー
１３ 鏡
１４ 中枠
１４ｆ フック部分
１４ｓ スライド部
２０ レフィール容器
２１ 中皿
２１ｆ1 第１フック部
２１ｆ2 第２フック部
２１ｐ 凸部
２２ 蓋体
２２ｆ スライドフック部分
２３ パッキン押え
３０ パフ
４０ レフィール容器
４１ 中皿
４１ｆ1 第１フック部
４１ｆ2 第２フック部
４１ｐ 凸部
４２ 蓋体
４２ｆ スライドフック部分
４３ パッキン押え
５０ レフィール容器
５１ 中皿
５１ｆ1 第１フック部
５１ｆ2 第２フック部
５１ｐ 凸部
５２ 蓋体
５２ｆ スライドフック部分
５３ パッキン押え
ｆ   シール面
ｆ1  シール面（局所部分）
ｆ2  シール面（局所部分）
ｆ3  シール面（局所部分）
Ｓ1 パッキン
Ｓ2 パッキン
Ｓ3 パッキン
【図１】
0004698057.tif 000002
【図２】
0004698057.tif 000003
【図３】
0004698057.tif 000004
【図４】
0004698057.tif 000005
【図５】
0004698057.tif 000006